(57)【要約】【課題】  一人だけで使える投球練習器を提供する。【解決手段】  本発明の投球練習器は選択的に使用者の手首に締め付けられる固定バンドと、中空状に現われ並びに相対する両端にそれぞれ開放端と閉鎖端に定義された袋を含み、袋の開放端は固定バンドに固定され、袋は使用者の手とボールを収容し、使用者は袋を投げ出すようにしてボールを投げ出し、ボールは使用者の手から離脱して飛び出すが、袋の閉鎖端によってボールは袋の外へ飛び出さないよう制限され、ボールは使用者から離れず、それによって繰り返し投球の動作を行う。【選択図】図３
2013215453.tif 000002
【特許請求の範囲】
【請求項１】
選択的に使用者の手首に締め付けられる固定バンドと、中空をなす相対する両端にそれぞれ開放端と閉鎖端に定義された袋を含み、袋の開放端は固定バンドに固定され、袋は使用者の手とボールを収容し、使用者は袋を投げ出すようにしてボールを投げ出し、ボールは使用者の手から離脱して飛び出すが、袋の閉鎖端によってボールは袋の外へ飛び出さないよう制限され、ボールは使用者から離れず、それによって繰り返し投球の動作が行なえることを特徴とする投球練習器。
【請求項２】
前記固定バンドの相対する両端はそれぞれ底面と頂上面により定義され、固定バンドの底面は袋の開放端に連接されることを特徴とする請求項１記載の投球練習器。
【請求項３】
前記固定バンドの底面と頂上面の間にはそれぞれ内側面と外側面が延伸され、固定バンドの内側面と外側面にはそれぞれ第一結合部と第二結合部に設けられ、第一結合部と第二結合部は選択可能に結合または離脱することができることを特徴とする請求項２記載の投球練習器。
【請求項４】
前記固定バンドの内側面は使用者の手首に当て付けられ、固定バンドの第一結合部と第二結合部は互いに結合し、固定バンドの頂上面は使用者に面することを特徴とする請求項３記載の投球練習器。
【請求項５】
前記第一結合部と第二結合部はマジックテープ（登録商標）により形成されることを特徴とする請求項３記載の投球練習器。
【請求項６】
前記袋の開放端は袋の一側と固定バンドの底面の間に延伸されて開口が形成されることを特徴とする請求項３記載の投球練習器。
【請求項７】
前記袋は長い形状をなし、使用者が袋を投げ出すようにしたとき風の抵抗が最小となることを特徴とする請求項１記載の投球練習器。
【請求項８】
前記袋はネット布によって製作されたことを特徴とする請求項１記載の投球練習器。
【請求項９】
前記固定バンドは折り曲げ可能の材料から作られたことを特徴とする請求項１記載の投球練習器。
【請求項１０】
前記開放端に定義されたほうの幅は閉鎖端に定義されたほうの幅より小さいことを特徴とする請求項１記載の投球練習器。
【発明の詳細な説明】
【技術分野】
【０００１】
本発明は投球練習器に関するするもので、特に一人だけで使える投球練習器に関するものである。
【背景技術】
【０００２】
ベースボール（ｂａｓｅ  ｂａｌｌ）の訓練過程に於いて、プレーヤ（ｐｌａｙｅｒ）は常に投げ受けの練習を行って投球時の速度と正確性を高めるが、この練習方式は二人一緒で同時に行わなければならなく、かつ天気と場所の制限によってスムーズ（ｓｍｏｏｔｈ）に練習することができない。
【発明の概要】
【０００３】
本発明が提供する投球練習器は選択的に使用者の手首に締め付ける固定バンド（ｂａｎｄ）と、中空状に現われ並びに反対する両端にそれぞれ開放端と閉鎖端に定義された袋を含み、袋の開放端は固定バンドに固定される。袋は使用者の手とボールを収容し、使用者は袋を投げ出すようにしてボールを投げ出し、ボールは使用者の手から離脱して飛び出すが、ボールは袋の閉鎖端によって袋の外へ飛び出さないよう制限され、ボールは使用者から離れない。
【０００４】
本発明投球練習器の主要な改善点は、使用者が袋を投げ出すようにしてボールを投げ出し、ボールは使用者の手から離脱して飛び出し、かつボールは袋の閉鎖端によって袋の外へ飛び出さないよう制限され、ボールは使用者から離れなく、使用者は繰り返し投球動作を行うことができ、尚且つ同時に投球の臨場感が具えるものである。
【０００５】
本発明投球練習器の第二の改善点は、袋の全体的外観は概して長い形状に現れ、使用者が袋を投げ出そうとしたときは最も小さい風の抵抗の影響を具え、より真実に近い投球動作を得ることができるものである。
【図面の簡単な説明】
【０００６】
【図１】本発明投球練習器の立体外観図である。
【図２】本発明投球練習器の平面図である。
【図３】本発明投球練習器の使用方法を表す図であり、それは使用者がボールを握り、かつ袋の開放端を経由して手を袋に差し込み、固定バンドの第一結合部と第二結合部は互いに分離していることを示す。
【図４】本発明投球練習器の使用方法を表す図であり、それは使用者が袋内でボールを握り、固定バンドの第一結合部と第二結合部は互いに結合していることを示す。
【図５】本発明投球練習器の使用状況を表す図であり、それは使用者が袋内で投球し、ボールは袋の閉鎖端に制限されていることを示す。
【発明を実施するための形態】
【０００７】
図１、２に示す本発明投球練習器の立体外観図と平面図を参照すると、本発明の投球練習器は固定バンド１０と固定バンド１０に連接される袋２０を含み、固定バンド１０は選択的に使用者の手首に締め付けられ、袋２０は中空状をなし使用者の手首とボールを収容する。
【０００８】
固定バンド１０は折り曲げ可能の材料、例えばゴム（ｇｕｍ）、ナイロン（ｎｙｌｏｎ）、棉または弾性繊維等材料から製造され、固定バンド１０は使用者の手首に巻きつけることができ、かつ固定バンド１０の全体的外観は概して長い形状をなし、固定バンド１０と使用者が接触する個所にはスポンジ（ｓｐｏｎｇｅ）が付け加えられて使用者の快適さを増やす。固定バンド１０の相対する両端はそれぞれ底面１１と頂上面１２により定義される帯状をなし、かつ固定バンド１０の底面１１と頂上面１２の間にはそれぞれ内側面１３と外側面１４が延伸され、固定バンド１０の内側面１３と外側面１４にはそれぞれ第一結合部１５と第二結合部１６が設けられ、第一結合部１５と第二結合部１６は選択的に結合または分離することができ、本実施例に於いて、第一結合部１５と第二結合部１６はマジックテープ（登録商標）（ｍａｇｉｃ  ｔａｐｅ）のベルクロ（ＶＥＬＣＲＯ）ファスナーを形成し、それによって固定バンド１０は選択的に使用者の手首に締め付けられる。
【０００９】
袋２０はナイロンネット（ｎｅｔ）またはＰＶＣネット等材料から製造され、かつ袋２０の外観は概して長い形状をなしている。袋２０は中空状をなし並びに相対する両端にそれぞれ開放端２１と閉鎖端２２をなし、本実施例に於いて、開放端２１は袋のやや狭い一端に位置し、閉鎖端２２は袋のやや広い一端に位置し、開放端２１に定義されるほうの幅は閉鎖端２２に定義されるほうの幅より小さくする。袋２０の開放端２１は固定バンド１０の底面１１に連接され、袋２０の閉鎖端２２はボールを止める機能を提供し、かつ袋２０の開放端２１から袋２０の一側と固定バンド１０の底面１１の間は延伸されて開口２３が形成し、開口２３は２インチ（ｉｎｃｈ）より小さいように定義される。
【００１０】
図３から図５に示す本発明投球練習器の使用方法および状況を示す図である。使用者の手は予めボールを握り、そして固定バンド１０と袋２０の開放端２１を経由して袋２０内に挿し入れ、かつ固定バンド１０を使用者の手首に巻き付け、固定バンド１０の内側面１３を使用者の手首に当て付け、並びに使用者のニーズ（ｎｅｅｄｓ）に合わして固定バンド１０の第一結合部１５と第二結合部１６を互いに結合させ、固定バンド１０を使用者の手首に締め付け、固定バンド１０の頂上面１２を使用者に向けるようにする。
【００１１】
使用者が投球練習を行う場合、使用者は袋２０を投げ出すようにしてボールを投げ出し、ボールは使用者の手から離脱して飛び出すが、袋２０の閉鎖端２２によってボールは袋２０の外へ飛び出さないよう制限され、ボールは使用者から離れなく、使用者は繰り返し投球の動作を行うことができ、かつ同時に投球の臨場感を味わうことができる。尚且つ袋の全体的外観は概して長い形状をなし、使用者が袋を投げ出そうとしたとき風の抵抗の影響が最小となり、より真実に近い投球動作が得られる。
【００１２】
上述をまとめると、本発明の投球練習器は次の長所がある：
１．本発明の投球練習器は、使用者が袋を投げ出すようにしてボールを投げ出し、ボールは同時に使用者の手から離脱して飛び出し、かつ袋の閉鎖端によってボールは袋の外へ飛び出さないよう制限され、ボールは使用者から離れなく、使用者は繰り返し投球動作を行うことができ、尚且つ同時に投球の臨場感を味わうことができる。
【００１３】
２．本発明の投球練習器は、袋の全体的外観は概して長い形状をなし、使用者が袋を投げ出そうとしたときは最も小さい風の抵抗の影響をうけ、より真実に近い投球動作が得られる。
【符号の説明】
【００１４】
１０      固定バンド
１１      底面
１２      頂上面
１３      内側面
１４      外側面
１５      第一結合部
１６      第二結合面
２０      袋
２１      開放端
２２      閉鎖端
２３      開口
【図１】
2013215453.tif 000003
【図２】
2013215453.tif 000004
【図３】
2013215453.tif 000005
【図４】
2013215453.tif 000006
【図５】
2013215453.tif 000007